(57)【要約】【課題】  本発明は、配送時のトラブルを防止できるＰＯＰラベルを実現できる。【解決手段】  本発明のＰＯＰラベル３は、本体部２１に対して操作パネル部２１が装脱着するカーオーディオ２において、隠見面となる本体部前面２１Ｂに対して貼付部３２が貼り付けられると共に、隣接する変位部３３が山折部３３Ａ及び谷折部３３Ｂの折曲角度Ａ１及びＡ２を変化させることによって上記カーオーディオ２のアピールポイントＡＰを表示するアピールポイント表示部３１を一対の隠見面である本体部前面２１Ｂ及び操作パネル部後面２２Ｃによって形成される空隙Ｃの内外へ自在に変位させるようにした。【選択図】        図２
2007057828.tif 000002
【特許請求の範囲】
【請求項１】
着脱又は開閉動作によって隠見される一対の隠見面を有する製品に対するＰＯＰラベルであって、
上記一対の隠見面のいずれか一方に貼り付けられた貼付部と、
上記製品のアピールポイントを表示するアピールポイント表示部と、
上記アピールポイント表示部及び貼付部の間に介設され、上記アピールポイント表示部を上記一対の隠見面によって形成される空間の内外へ自在に変位させる変位部と
を具えることを特徴とするＰＯＰラベル。
【請求項２】
上記変位部は、
板状でなり、
蛇腹状に形成されている
ことを特徴とする請求項１に記載のＰＯＰラベル。
【請求項３】
上記貼付部は、
上記ＰＯＰラベルを剥離することを促すメッセージが上記隠見面に貼り付けられた貼付面の反対面に印刷されている
ことを特徴とする請求項１に記載のＰＯＰラベル。
【請求項４】
ＰＯＰラベルが貼り付けられた電子機器であって、
上記電子機器は、
着脱又は開閉動作によって隠見される一対の隠見面
を具え、
上記ＰＯＰラベルは、
上記一対の隠見面のいずれか一方に貼り付けられた貼付部と、
上記製品のアピールポイントを表示するアピールポイント表示部と、
上記アピールポイント表示部及び貼付部の間に介設され、上記アピールポイント表示部を上記一対の隠見面によって形成される空間の内外へ自在に変位させる変位部と
を具える
ことを特徴とする電子機器。
【発明の詳細な説明】
【技術分野】
【０００１】
本発明は、ＰＯＰ（Point Of Purchase）ラベル及び電子機器に関し、例えばカーオーディオのＰＯＰラベル及びカーオーディオに適用して好適なものである。
【背景技術】
【０００２】
従来、店頭においてカーオーディオのアピールポイントを簡易に表示させるために、製造工程においてカーオーディオの前面にＰＯＰステッカーを貼り付けることが広く行われている。そしてこのカーオーディオが店頭に陳列された時には、カーオーディオに予め貼り付けられたこのＰＯＰステッカーによって、店内の顧客に対して当該アピールポイントを広告するようになされている。
【０００３】
しかしながら、このようなＰＯＰステッカーは、カーオーディオの前面に密着して貼り付けられるため、店頭に陳列されているカーオーディオを当該ＰＯＰステッカーによって部分的に隠してしまうと共に、カーオーディオの全体的なデザインのバランスを崩してしまうことになってしまうため、折角ＰＯＰステッカーによって顧客の目を惹きつけたにも拘らず、重要なアピールポイントとなるカーオーディオのデザイン性を顧客に伝えることが困難となってしまう。
【０００４】
一方、陳列されている製品を隠すことなくＰＯＰを表示する方法として、ＰＯＰスタンドを組み立てて、製品の上部に取り付けるようになされたものがある（例えば、非特許文献１参照）。
【特許文献１】実用新案登録番号  第３０４１８９７号公報
【発明の開示】
【発明が解決しようとする課題】
【０００５】
ところでかかる構成のＰＯＰスタンドにおいては、製品の外部に突出した状態で当該ＰＯＰスタンドを取り付けるようになされているため、製品との一体性が希薄であり、製造工程においてこのＰＯＰスタンドをカーオーディオに取り付けた場合、配送時に外れたり、破損する等のトラブルが生じることとなり、このＰＯＰスタンドをカーオーディオに適用することができないという問題があった。
【０００６】
本発明は以上の点を考慮してなされたもので、一体性を向上させるＰＯＰラベル及び電子機器を提案しようとするものである。
【課題を解決するための手段】
【０００７】
かかる課題を解決するため本発明のＰＯＰラベルにおいては、着脱又は開閉動作によって隠見される一対の隠見面を有する製品に対するＰＯＰラベルであって、一対の隠見面に貼り付けられた貼付部と、製品のアピールポイントを表示するアピールポイント表示部と、アピールポイント表示部及び貼付部の間に介設され、アピールポイント表示部を一対の隠見面によって形成される空間の内外へ自在に変位させる変位部とを設けるようにした。
【０００８】
これにより、製品が店頭に陳列された時には、一対の隠見面によって形成される空間からアピールポイント表示部を変位させて当該空間の外部に表示させることができる一方、製品の配送時には当該空間の内部にアピールポイント表示部を保持することができる。
【０００９】
また、本発明の電子機器においては、ＰＯＰラベルが貼り付けられた電子機器であって、電子機器は、着脱又は開閉動作によって隠見される一対の隠見面を設け、ＰＯＰラベルは、一対の隠見面に貼り付けられた貼付部と、製品のアピールポイントを表示するアピールポイント表示部と、アピールポイント表示部及び貼付部の間に介設され、アピールポイント表示部を一対の隠見面によって形成される空間の内外へ自在に変位させる変位部とを設けるようにした。
【００１０】
これにより、電子機器が店頭に陳列された時には、一対の隠見面によって形成される空間の外部にアピールポイント表示部を表示させることができる一方、電子機器の配送時には当該空間の内部にアピールポイント表示部を保持することができる。
【発明の効果】
【００１１】
本発明によれば、製品が店頭に陳列された時には、一対の隠見面によって形成される空間からアピールポイント表示部を変位させて当該空間の外部に表示させることができる一方、製品の配送時には当該空間の内部にアピールポイント表示部を保持することができ、かくして製品との一体性を向上するＰＯＰラベルを実現できる。
【００１２】
本発明によれば、電子機器が店頭に陳列された時には、一対の隠見面によって形成される空間の外部にアピールポイント表示部を表示させることができる一方、電子機器の配送時には当該空間の内部にアピールポイント表示部を保持することができ、かくしてＰＯＰラベルとの一体性を向上する電子機器を実現できる。
【発明を実施するための最良の形態】
【００１３】
以下、図面について、本発明の一実施の形態を詳述する。
【００１４】
（１）カーオーディオの全体構成
図１において、２は全体としてカーオーディオを示している。このカーオーディオ２にはＰＯＰ（Point Of Purchase）ラベル３が貼り付けられている。
【００１５】
図２に示すように、このカーオーディオ２は、着脱可能な本体部２１と操作パネル部２２とから構成されている。以下、本体部２１に対して操作パネル部２２が取り付けられる方向を前方向とし、対向する方向を後方向として説明する。
【００１６】
この本体部２１は前面に開口した凹部２１Ａを有している。一方で操作パネル部２２は、当該凹部２１Ａと略同じ大きさを有する凸部２２Ａをその後面に有している。そしてこの凹部２１Ａに対して凸部２２Ａが嵌め込まれることによって、本体部２１に対して操作パネル部２２が装着されると共に、当該凹部２１Ａ及び当該凸部２２Ａにそれぞれ設けられた図示しない一対のフックによって係止されるようになされている。
【００１７】
そしてカーオーディオ２は、操作パネル部２２が脱着された状態において、本体部２１の前方向面となる本体部前面２１Ｂにおける中央付近の下部にＰＯＰラベル３が貼り付けられていると共に、このＰＯＰラベル３が貼り付けられた本体部２１に対して操作パネル部２２が装着され（図１）、この状態で店頭に陳列される。
【００１８】
一方でカーオーディオ２は、当該カーオーディオ２を実際に購入した顧客（以下、これをユーザと呼ぶ）の手元にＰＯＰラベル３が貼り付けられた状態で届けられ、当該ユーザによって当該ＰＯＰラベル３が剥離されるようになされている。
【００１９】
（２）ＰＯＰラベル
次に、ＰＯＰラベル３について図３を用いて具体的に説明する。なお、ＰＯＰラベル３がカーオーディオ２に貼り付けられる時に前方向となる面を表面として図３（Ａ）に、同様に後方向となる面を裏面として図３（Ｂ）に示している。
【００２０】
図３（Ａ）及び図３（Ｂ）に示すように、ＰＯＰラベル３は、全体として板状でなり、略矩形のアピールポイント表示部３１と、貼付部３２と、変位部３３とから構成されている。
【００２１】
アピールポイント表示部３１の表面には、カーオーディオ２の長所や利点、特別価格であること等のアピールポイントＡＰが文字や図形等を用いて表示されるようになされている。ここではカーオーディオ２が新作モデルであることを示す「ＮＥＷ  ＭＯＤＥＬ」という文字が印刷されている。
【００２２】
これにより、ＰＯＰラベル３は、このアピールポイント表示部３１を店頭において視認した顧客に対してカーオーディオ２が新作モデルであることを知得させ得、当該カーオーディオ２に対する興味を顧客に持たせるように広告することができ、延いては当該カーオーディオ２の購入を当該顧客に検討させて販売促進に繋げ得るようになされている。
【００２３】
一方、貼付部３２の裏面には、両面テープ３２Ａが貼り付けられ、この両面テープ３２Ａの剥離紙を除去することによって露出した粘着面によって、カーオーディオ２の任意の場所に貼り付けられるようになされている。
【００２４】
また、貼付部３２の表面には、カーオーディオ２を実際に購入したユーザに対して、このカーオーディオ２を使用する時にＰＯＰラベル３を剥離することを促すメッセージＭＳとして、「使用時には剥がして下さい。」という文字が印刷されており、図４に示すように、操作パネル部２２を脱着した状態において、ユーザに当該メッセージＭＳを視認させ得るようになされている。
【００２５】
これによりＰＯＰラベル３は、このカーオーディオ２がユーザによって購入され、当該カーオーディオ２が実際に使用される場合、当該ユーザに当該ＰＯＰラベル３を剥離させ得るようになされている。
【００２６】
また、ＰＯＰラベル３は、カーオーディオ２の使用時には操作パネル部２２が装着されることにより隠される本体部前面２１Ｂに対して貼付部３２が貼り付けられていることにより、カーオーディオ２の使用時には貼付部３２が表面に露出せず、従来のカーオーディオ２の操作部前面２２Ｂ（図１）にＰＯＰステッカーを貼り付ける方法と比較して、粘着面の糊残りが生じた場合の糊残り跡を目立たせなくすることができる。さらに、ＰＯＰラベル３は、従来のＰＯＰステッカーのようにアピールポイント表示部３１の全面を粘着面とする必要が無いため、貼付部３２を小さくでき、一段と糊残り跡を目立たせなくすることができる。
【００２７】
他方、変位部３３（図３）は、後述するようにアピールポイント表示面３１を変位するために設けられている。また、変位部３３の上下端には、山折部３３Ａ及び谷折部３３Ｂが設けられており、ＰＯＰラベル３の表面を上側にした場合に、山折部３３Ａは山折りに、谷折部３３Ｂは谷折りに折り曲げられるように凹凸や溝等が形成されている。
【００２８】
図４に示したように、ＰＯＰラベル３は、山折部３３Ａ及び谷折部３３Ｂにおいてそれぞれ山折、谷折に折り曲げられると共に、貼付部３２がカーオーディオ２における本体部前面２１Ｂの下部の中央周辺に、貼付部３２の下端に位置する谷折部３３Ｂが本体前面下縁部２１Ｃに沿うようにして貼り付けられている。
【００２９】
このとき図５に示す断面図のように、ＰＯＰラベル３は、一切の圧力を加えられていない状態において山折部３３Ａ及び谷折部３３Ｂにおける折曲角度Ａ１及びＡ２がほぼ直角になるように折り曲げられている。そして変位部３３の長さＬが凹部２１Ａの奥行きＤより大きく形成されているため、アピールポイント表示部３１は本体部２１から前方向に突き出すようになされている。
【００３０】
図６（Ａ）及び図６（Ｂ）に示したように、変位部３３は、例えば山折、山折のように同じ向きの折目を繰り返すのではなく、山折部３３Ａと谷折部３３Ｂとが設けられたことにより、アピールポイント表示部３１の斜め上方向に軽く押し上げるだけの簡易な操作のみでＰＯＰラベル３を蛇腹状に折り畳み得るようになされている。
【００３１】
図７（Ａ）及び図７（Ｂ）に示すように、ＰＯＰラベル３を折り畳んだ状態で操作パネル部２２が本体部２１に装着された場合、ＰＯＰラベル３は、本体部前面２１Ｂ及び操作パネル部後面２２Ｃによって形成される間隙Ｃに保持される。
【００３２】
これにより、ＰＯＰラベル３は、カーオーディオ２の外側に露出することなく、本体部２１及び操作パネル部２２によって挟まれて、当該カーオーディオ２との一体性を向上させるようになされている。これにより、ＰＯＰラベル３は、当該カーオーディオ２によって保護された状態となり、配送等の時に外側から衝撃があった場合であっても破損しないようになされている。
【００３３】
また、変位部３３（図３）は、その長さＬがアピールポイント表示部３１の高さＨ以上になるように形成されている。これにより、アピールポイント表示部３１が本体前面下縁部２１Ｃ（図７）からはみ出ることがなく、ＰＯＰラベル３の全てが凹部２１Ａ内にきっちり収まるようになされている。
【００３４】
さらに、変位部３３（図３）は、アピールポイント表示部３１の下縁部である表示下縁部３１Ａとそれぞれ平行になるように、山折部３３Ａ及び谷折部３３Ｂが設けられていることにより、本体前面２１Ｂ（図４）に対して、貼付部３２の下縁部（谷折部３３Ｂ）が本体前面下縁部２１Ｃに沿うようにして貼り付けられることによって、折り畳まれた場合には略矩形状のアピールポイント表示部３１が斜めに傾けられることがなく、ＰＯＰラベル３（図７）を最もコンパクトな状態に折り畳めると共に、アピールポイント表示部３１が表示された場合には、当該アピールポイント表示部３１を本体前面下縁部２１Ｃ（図４）に対して平行に表示させ得るようになされている。
【００３５】
これにより、ＰＯＰラベル３は、谷折部３３Ｂを本体全面下縁部２１Ｃに沿って貼り付けるだけの簡易な貼付操作によって、アピールポイントＡＰの文字が傾けられることなく、まっすぐな状態でアピールポイント表示部３１を表示させ得るようになされている。
【００３６】
また、このＰＯＰラベル３は、材質として弾性力の高いユポ（登録商標）が使用されている。これにより、図８に示すように、ＰＯＰラベル３は、本体部２１から操作パネル部２２が脱着されると自己の弾性力によって伸張することができ、ＰＯＰラベル３が収納される前（図５）とほぼ同じ、山折部３３Ａ及び谷折部３３Ｂの折曲角度Ａ１及びＡ２がほぼ直角の状態へ自動的に戻るようになされている。
【００３７】
これにより、ＰＯＰラベル３は、間隙Ｃを形成していた操作パネル部２２が脱着されるのと同時にアピールポイント表示部３１を凹部２１Ａの外部に飛び出させて注目させることができるため、当該操作パネル部２２を脱着操作した人物に対してアピールポイントＡＰを視認させることができる。
【００３８】
これによりカーオーディオ２を購入したユーザによって操作パネル部２２が脱着された場合には、アピールポイント表示部３１を介して当該カーオーディオ２のアピールポイントＡＰを認識させて、当該ユーザの当該カーオーディオ２に対する満足度を高め得るようになされている。一方、カーオーディオ２を販売する店の店員によって操作パネル部２２が脱着された場合には、ＰＯＰラベル３の存在を確実に認識させることにより、カーオーディオ２の店頭への陳列時にアピールポイント表示部３１を表示させるように当該店員を誘導し得るようになされている。
【００３９】
因みにＰＯＰラベル３は、材質としてユポ（登録商標）が使用されたことによって湿度や温度等による環境変化によってＰＯＰラベル３が変形することを防止すると共に、ＰＯＰラベル３の強度及び耐久性を向上させることもできる。
【００４０】
一方、操作パネル部２２が装着される場合には、図９に示すように、ＰＯＰラベル３が引き伸ばされた状態で、凹部２１Ａに対して操作パネル部２２の凸部２２Ａがほぼ水平に、変位部３３の上を通って嵌め込まれるようになされている。
【００４１】
この結果、図１０に示すように、変位部３３が本体部前面２１Ｂから操作パネル部前面２２Ｂに向かって伸び、操作パネル部２２の下縁に対して沿った状態で、本体部２１及び操作パネル部２２に挟まれ、カーオーディオ２との一体性を向上させるようになされている。そして変位部３３は、その先端に位置するアピールポイント表示部３１を当該操作パネル部前面２２Ｂより僅かに突出した状態で垂れ下げさせるようになされている。
【００４２】
これにより、ＰＯＰラベル３は、アピールポイント表示部３１及び変位部３３の一部分のみを表出させ、他の部分をカーオーディオ２の内部に、一体化させた状態で保持させるため、カーオーディオ２が陳列された時に、外部からの衝撃等が加えられた場合であっても当該カーオーディオ２から外れてしまわないようになされている。
【００４３】
さらにＰＯＰラベル３は、操作パネル部前面２２Ｂより僅かに突出した状態でアピールポイント表示部３１を表示させることができるため、店頭に陳列される場合には、従来の操作パネル部前面２２Ｂに密着して貼り付けられるＰＯＰステッカーと比較して、アピールポイント表示部３１を一段と目立たせることが可能となり、同時にかつ同様に陳列して並べられた他の商品と差別化して効果的に広告することが可能となる。
【００４４】
また、ＰＯＰラベル３は、カーオーディオ２の下部に垂れ下げた状態でアピールポイント表示部３１を表示することにより、操作パネル部前面２２Ｂと重ならないようにアピールポイント表示部３１を表示することができ、当該操作パネル部前面２２Ｂを隠すことが無いため、操作パネル部前面２２Ｂのデザインを害することなく、アピールポイント表示部３１を表示させることができる。
【００４５】
さらにＰＯＰラベル３は、操作パネル部前面２２Ｂに直接貼り付けられないため、当該操作パネル部前面２２Ｂの面積とは無関係に、すなわち自由にアピールポイント表示部３１の面積が決定されるため、従来のＰＯＰステッカーと比較してアピールポイント表示部３１を一段と大きい面積にすることができ、この大きい面積を活用してイメージを一段と詳細に表現したり、多彩に表現して効果的にアピールポイントＡＰを広告することが可能となる。
【００４６】
なお、ＰＯＰラベル３には、山折部３３Ａ及び谷折部３３Ｂの近傍に円弧状の円弧部３３Ｃ（図３（Ｂ））が設けられている。これによりＰＯＰラベル３では、折目となる山折部３３Ａ及び谷折部３３Ｂ付近に角が形成されないため、当該折目における曲げ伸ばしによる応力が角に集中し、破損し易くなることを防止し得るようになされている。
【００４７】
（３）カーオーディオの梱包時におけるＰＯＰラベルの保持
上述したＰＯＰラベル３は、カーオーディオ２の製造工程においてカーオーディオ２に貼り付けられた状態で当該カーオーディオ２と共に店頭に配送されると、そのままカーオーディオ２と共に陳列されるようになされている。以下、このカーオーディオ２にＰＯＰラベル３が貼り付けられてから当該カーオーディオ２が梱包されるまでについて説明する。
【００４８】
図１１に示すように、カーオーディオ２の本体部２１及び操作パネル部２２は、それぞれ分離した状態で梱包される。
【００４９】
本体部２１には、本体部前面２１ＢにＰＯＰラベル３が貼り付けられると共に、凹部２１Ａには当該凹部２１Ａを保護するため、操作パネル部２２の代わりにダンボール製の保護スペーサ４１が嵌め込まれる。
【００５０】
このとき凹部２１Ａに保護スペーサ４１が完全に嵌め込まれると、ＰＯＰラベル３は折り畳まれた状態で本体部前面２１Ｂ及び当該保護スペーサ４１の間に保持されるようになされている。これにより、ＰＯＰラベル３は、カーオーディオ２の外側に露出することなく当該凹部２１Ａ及び当該保護スペーサ４１によって挟まれて保護された状態となり、配送時等に外側から衝撃があった場合であっても破損しないようになされている。
【００５１】
さらに本体部２１は、例えばＰＥ（ポリエチレン）、ＰＰ（ポリプロピレン）製のプラスティック袋に入れられる。一方、操作パネル部２２は、専用の操作パネル用ケース４２に入れられる。そして本体部２１及び操作パネル部２２は、図示しないダンボール製の外箱に緩衝材と共に梱包されるようになされている。
【００５２】
なお、通常カーオーディオ等の電子機器は高湿度に弱く、防湿のためにプラスティック袋に入れられた後に外箱に梱包されるが、特にカーオーディオ２の外側にＰＯＰスタンド等が露出していた場合、このプラスティック袋に出し入れされる梱包及び開梱の作業時に外れてしまう等のトラブルが生じる場合が多い。しかしながら、ＰＯＰラベル３は、カーオーディオ２の外側に露出しないため、このようなトラブルを回避することができるようになされている。
【００５３】
同様にカーオーディオ等の電子機器は衝撃に弱く、衝撃による保護のために発泡スチロール等の緩衝材を使用して外箱内に隙間を形成することなく梱包されるため、特にカーオーディオ２の外側にＰＯＰスタンド等を収納するスペースを確保できない場合が多い。また、カーオーディオ２は筐体でなる場合が多く、外側に凹凸が無いため同様にＰＯＰスタンド等を収納するスペースを確保できない場合が多い。
【００５４】
しかしながら、ＰＯＰラベル３では、カーオーディオ２自体の機能上必要となる、本体部２１及び操作パネル部２２からなる脱着機構により形成される間隙Ｃをそのまま利用することができる。すなわち、ＰＯＰラベル３は、脱着機構の一部である凹部２１Ａ及び当該凹部２１Ａを保護するための保護スペーサ４１の間に形成される間隙Ｃに折り畳まれた状態で保持されることによって収納され得るようになされている。
【００５５】
因みに、操作パネル部前面２２Ｂ（図１）には操作ダイヤルやボタン等からなる操作部２２Ｃ及び表示部２２Ｄを有している。ＰＯＰラベル３は、操作パネル部前面２２Ｂを隠すことがないため、従来のシール式のＰＯＰステッカーを表示部２２Ｄに貼り付ける方式で生じていた、ＰＯＰステッカーの貼付後に行われる最後の検査工程において、表示部２２Ｄが正常に稼動しているか否かの検査が不可能になってしまう問題を未然に防止することができる。
【００５６】
（４）カーオーディオの陳列時におけるＰＯＰラベルの表示
次に、店頭に配送されたカーオーディオ２が開梱され、見本として店頭に陳列されると共に、ＰＯＰラベル３が表示されるまでについて説明する。
【００５７】
図１２に示すように、カーオーディオ２は、店頭において開梱されると、本体部２１の凹部２１Ａに嵌め込まれていた保護スペーサ４１が取り除かれると共に、操作パネル部２２が操作パネル用ケース４２から取り出され、さらにこの本体部２１に対して操作パネル部２２が取り付けられるようになされている。
【００５８】
このとき、ＰＯＰラベル３は、保護スペーサ４１の除去と同時にアピールポイント表示部３１を表示位置に変位させ得るため、カーオーディオ２を開梱し、操作パネル部２２を本体部２１に取り付けるという陳列に係る通常の作業のみでアピールポイント表示部３１を半ば自動的に表示させ得るため、従来の別途ＰＯＰスタンド等を添付し、余分な組み立て作業を伴う方法と比較して、放置されることを防止することができ、一段と確実にアピールポイント表示部３１を店頭に表示させ得るようになされている。
【００５９】
なお、通常、店頭では図示しないビスによって本体部２１及び操作パネル部２２は固定され、着脱が不能な状態で店頭に陳列される。本体部２１に操作パネル部２２が取り付けられた状態では、変位部３３（図１０）が本体部２１及び操作パネル部２２の間に挟まれて固定される。
【００６０】
これにより、カーオーディオ２は、店頭において操作パネル部２２が脱着されることなく、変位部３３が本体部２１及び操作パネル部２２の間に挟まれた状態で陳列され続けるため、ＰＯＰラベル３とカーオーディオ２との一体性を一段と向上させることができ、アピールポイント表示部３１を引っ張った場合であってもその引っ張った応力が貼付部３２まで到達することができず、ＰＯＰラベル３を引っ張ることによって取り除くことは困難である。また、ＰＯＰラベル３は材質として強靭なユポ（登録商標）を使用しているため、通常の人間の力では千切り取ることは困難である。
【００６１】
さらにＰＯＰラベル３は、操作パネル部２２が装着された状態（図１）では貼付部３２を露出しないため、店内の顧客に対してＰＯＰラベル３の貼付状態を視認させることができないようになされている。これにより、顧客のいたずら心をくすぐることを防止し、ＰＯＰラベル３を剥がそうとする顧客のいたずらを抑制することができる。
【００６２】
これにより、ＰＯＰラベル３は、顧客が店頭において当該ＰＯＰラベル３を取り除くいたずら自体を抑制すると共に、当該ＰＯＰラベル３がいたずらにより引っ張られた場合であっても千切れないため、取り除かれることがなく、一段と長い期間に渡ってアピールポイント表示部３１を表示することができ、広告の効果を向上させ得るようになされている。
【００６３】
（５）動作及び効果
以上の構成において、本発明のＰＯＰラベル３は、本体部２１に対して操作パネル部２１が着脱するカーオーディオ２において、一隠見面となる本体部前面２１Ｂに対して貼付部３２が貼り付けられると共に、変位部３３によってカーオーディオ２のアピールポイントを表示するアピールポイント表示部３１を当該本体部前面２１Ｂ及び他の隠見面となる操作パネル部後面２２Ｃによって形成される空間である間隙Ｃの内外へ自在に変位させる。
【００６４】
これによりＰＯＰラベル３は、アピールポイント表示部３１を間隙Ｃ内に変位させると、本体部２１及び操作パネル部２２に挟まれた状態でカーオーディオ２と一体的に保護され、カーオーディオ２の外部に露出されないため、ＰＯＰラベル３がカーオーディオ２に貼り付けられてから店頭に陳列されるまでの間に、外部からの衝撃によって破損したり外れてしまうことを防止できる。
【００６５】
また、ＰＯＰラベル３は、カーオーディオ２の製造工程において、カーオーディオ２における決められた貼付位置に確実に貼り付けられることによって、当該カーオーディオ２のデザインに合わせた所望の表示位置にアピールポイント表示部３１を表示させることができる。
【００６６】
一方でＰＯＰラベル３は、本体部２１から操作パネル部２２を除去した時に、変位部３３によってアピールポイント表示部３１を本体部前面２１Ｂ及び操作パネル部後面２２Ｃの間隙Ｃから外に変位させることができる。
【００６７】
ここでカーオーディオ２が店頭に陳列される場合、ＰＯＰラベル３は、アピールポイント表示部３１を所定の表示位置に変位させることができるため、本体部２１に操作パネル部２２を装着された時に、本体部前面２１Ｂから本体部２１及び操作パネル部２２の隙間を通ってカーオーディオ２との一体性を高めた状態でアピールポイント表示部３１を表示させることができる。
【００６８】
これにより、ＰＯＰラベル３は、カーオーディオ２の内部を通ってアピールポイント表示部３１をカーオーディオ２の外部に表示するため、ＰＯＰラベル３を除去するためには、当該カーオーディオ２の内部へ力を加える必要を生じさせ、従来の単にＰＯＰスタンドが組み立てられた状態でその一部をカーオーディオ２に貼り付けられた場合と比較して、外部からの物理的な力に対して除去されにくくし得る。
【００６９】
さらに、ＰＯＰラベル３は、変位部３３の一部として山折部３３Ａ及び谷折部３３Ｂが設けられており、蛇腹状に折り畳まれた状態で収納されることにより、保護スペーサ４１を嵌め込む際の圧力によって容易に折り畳まれると共に、当該折り畳まれた状態から開放されると同時にアピールポイント表示部３１が自然に飛び出して、アピールポイント表示部３１をカーオーディオ２の外側に位置させることができ、ＰＯＰラベル３の収納及び引き出しに係る作業を一段と簡素化させることができる。
【００７０】
これによりＰＯＰラベル３は、操作パネル部２２を装着する店員が行う通常の動作において当該店員がＰＯＰラベル３を意識しなくてもいつの間にかアピールポイント表示部３１を表示させ、カーオーディオ２を店頭に陳列させることができる。
【００７１】
また、ＰＯＰラベル３は、山折部３３Ａ及び谷折部３３Ｂによって非常にコンパクトに折り畳まれることができ、本体部２１及び操作パネル部２２の代わりに嵌め込まれた保護スペーサ４１によって形成される狭い間隙Ｃに収納され得る。
【００７２】
さらにＰＯＰラベル３は、操作パネル部２２の下部に表示させるため、当該操作パネル部２２を隠すことなく、かつ陳列棚の棚部分や隙間等を利用してアピールポイント表示部３１を表示させることができる。
【００７３】
またカーオーディオ２がユーザによって購入された場合、ＰＯＰラベル３は、保護スペーサ４１の除去と同時に、貼付部３２に印刷された使用時には剥離する旨のメッセージＭＳをユーザに視認させることができ、速やかに当該ＰＯＰラベル３を剥離させ、ユーザにカーオーディオ２を使用させることができる。このとき、ＰＯＰラベル３は、特にアピールポイント表示部３１又は変位部３３のいずれの部分を掴んで引っ張るだけで簡単に剥離させることができるため、従来のＰＯＰステッカーと比較して、つめ等を使って端部分をめくって強引に剥離させる必要がなく、ユーザに対して当該ＰＯＰラベル３を簡易に剥離させることができる。
【００７４】
以上の構成によれば、本発明のＰＯＰラベル３は、本体部２１に対して操作パネル部２２が着脱するカーオーディオ２において、隠見面となる本体部前面２１Ｂに対して貼付部３２が貼り付けられると共に、変位部３３によってアピールポイント表示部３１を一対の隠見面である本体部前面２１Ｂ及び操作パネル部後面２２Ｃによって形成される間隙Ｃの内外へ自在に変位させることができ、店頭における陳列時にはアピールポイント表示部３１を間隙Ｃの外部に表示させると共に、配送時にはＰＯＰラベル３を間隙Ｃの内部に保持させ、保護された状態にすることができ、かくしてカーオーディオ２との一体性を向上させることができる。
【００７５】
（６）他の実施の形態
なお上述の実施の形態においては、ＰＯＰラベル３の材質としてＰＰでなるユポ（登録商標）を使用するようにした場合について述べたが、本発明はこれに限らず、例えば紙やＰＥＴ（ポリエチレンテレフタレート）等の各種プラスティック材料、複合材料等を使用するようにしても良い。このとき、弾性率が１００ＭＰａ〜１００ＧＰａ、厚みが２５μｍ〜２００μｍのプラスティック材料を適宜選択して使用することによって、その弾性を利用して操作パネル部２２の除去と同時にアピールポイント表示部３１を自動的に飛び出させるようにすることができる。
【００７６】
また上述の実施の形態においては、変位部３３の一部として山折部３３Ａ及び谷折部３３Ｂが設けられるようにした場合について述べたが、本発明はこれに限らず、変位部３３として折目が設けられる必要はなく、例えば丸めた状態でアピールポイント表示部３１が間隙Ｃに収納されるようにしても良く、また折目の数に関しては販売促進する対象製品の形状や大きさ、間隙Ｃの大きさ等によって自由に調整されることができる。
【００７７】
さらに上述の実施の形態においては、ＰＯＰラベル３は、山折部３３Ａ及び谷折部３３Ｂが設けられており、蛇腹状に折り畳まれるようにした場合について述べたが、本発明はこれに限らず、山折の次に山折のように、同じ折目が連続する状態で折り畳むことも可能である。この場合であっても、変位部３３を折り畳んだり広げたりする簡易な補助操作のみでアピールポイント表示部３１を収納し、引き出すことができる。
【００７８】
さらに上述の実施の形態においては、間隙Ｃに収納されたＰＯＰラベル３は、操作パネル部２２が除去されることによって折曲角度Ａ１及びＡ２がほぼ直角になるようにした場合について述べたが、本発明はこれに限らず、この折曲角度Ａ１及びＡ２については、ＰＯＰラベル３の材質、山折部３３Ａ及び谷折部３３Ｂの凹凸や溝の深さ、ＰＯＰラベル３の収納時に山折部３３Ａ及び谷折部３３Ｂに加えられる圧力等によって自由に調整することができる。
【００７９】
さらに上述の実施の形態においては、矩形でなる板状のアピールポイント表示部３１が表示されるようにした場合について述べたが、本発明はこれに限らず、アピールポイント表示部３１の形状としては特定されず、丸や三角等の形状としてもよく、さらには立体形状としても良い。例えば図１３に示すように、貼付部５２、変位部５３に加え、アピールポイント表示部５１の一部として３つの山折部５１Ｂ及び三角柱形成部５１Ｃを設け、当該山折部５１Ｂを山折りし、三角柱状に組み立て、アピールポイント表示部５１の上縁に両面テープ５１Ａを貼り合せることによって立体形状を形成することも可能である。これにより、店頭に隣接して陳列されている他のカーオーディオから、アピールポイント表示部３１を一段と浮き立たせて目立たせることができ、広告の効果を向上させることができる。
【００８０】
さらに上述の実施の形態においては、カーオーディオ２は、本体部２１及び操作パネル部２２がビスで固定され、脱着不可能な状態で店頭に陳列されるようにした場合について述べたが、本発明はこれに限らず、固定されることなく着脱可能な状態で陳列するようにしても良い。
【００８１】
これにより、ＰＯＰラベル３は、操作パネル部２２を装着した状態において、貼付部３２を顧客に視認させないため、ＰＯＰラベル３がどこから出てきているのかを顧客に一目で理解させず、顧客の好奇心をくすぐることにより、ＰＯＰラベル３を調べるために思わず操作パネル部２２を脱着させたり、ＰＯＰラベル３を触らせたりして、顧客の視線をカーオーディオ２へ惹きつけることができるため、結果として顧客のカーオーディオ２に対する興味を高めることができる。
【００８２】
さらに上述の実施の形態においては、本体部２１及び操作パネル部２２の着脱によって見え隠れする隠見面のうち、一隠見面となる本体部前面２１ＢにＰＯＰラベル３が貼り付けられるようにした場合について述べたが、本発明はこれに限らず、他の隠見面となる操作パネル部後面２２Ｃに当該ＰＯＰラベル３が貼り付けられるようにしても良い。
【００８３】
同様に上述の実施の形態においては、本体部２１及び操作パネル部２２が着脱可能なカーオーディオ２の一隠見面となる本体部前面２１ＢにＰＯＰラベル３が貼り付けられるようにした場合について述べたが、本発明はこれに限らず、例えば冷蔵庫や机の引き出し等の開閉可能な製品における隠見面にＰＯＰラベル３が貼り付けられるようにしても良い。この場合ＰＯＰラベル３は、着脱若しくは開閉動作によって見え隠れする隠見面に貼り付けられるようにすれば良く、例えば冷蔵庫の場合、閉状態で扉の内側となる扉内面を一隠見面、冷蔵庫内部の空間を形成する残り全ての面が他の隠見面となり、一対の隠見面を構成する。
【００８４】
このとき、ＰＯＰラベル３を開閉又は着脱可能な扉内面以外の位置に貼り付けることにより、アピールポイント表示部３１が開閉又は着脱動作によって変位されることがないため、常に同じ位置に表示され、扉の開閉に影響されることなく常にアピールポイント表示部３１を一定の場所に表示させることが可能となる。これにより、従来の扉の前面にＰＯＰステッカーを貼り付ける方法と比較して、扉を開いたときにＰＯＰステッカーが当該扉と共に移動し、顧客の視界から消えてしまうことを防止でき、顧客に対して一段と印象的にアピールポイント表示部３１を表示することができ、広告の効果を向上させることができる。
【００８５】
さらにこの場合、敢えてユーザに対するメッセージＭＳが貼付部３２に印刷されず、代わりに貼付部３２及び変位部３３に周囲と同系色の色彩が印刷されることによって、扉を開けた状態であっても貼付部３２及び変位部３３の存在を目立たせなくし、あたかもアピールポイント表示部３１が浮き出ているかのように演出させることによって、顧客にアピールポイントＡＰを強く印象付けることができる。また貼付部３２は、メッセージＭＳに加えて文字や図形等からなるアピールポイントＡＰを表示することによってさらにアピールポイントＡＰを強調させるようにしても良い。
【００８６】
一方、ＰＯＰラベル３を扉内面に貼り付けさせることも可能である。この場合、アピールポイント表示部３１の表面だけでなく裏面にもアピールポイントＡＰが印刷されることができ、特に表面と裏面とで異なる内容のアピールポイントＡＰが印刷されることによって、扉を開ける前の状態と、扉を開けたときの状態とで異なるポイントをアピールすることができ、顧客に対して一段と多くの利点をそれぞれの状態に応じて印象付けることができるため、広告の効果を向上させることができる。
【００８７】
さらに上述の実施の形態においては、カーオーディオ２は、本体部前面２１Ｂに対して保護スペーサ４１が嵌め込まれた状態で梱包され、本体部前面２１Ｂ及び保護スペーサ４１によって形成された間隙ＣにＰＯＰラベル３が収納されるようにした場合について述べたが、本発明はこれに限らず、本体部前面２１Ｂ及び操作パネル部２２とが装着された状態で梱包され、本体部前面２１Ｂ及び操作パネル部後面２２Ｃによって形成される間隙ＣにＰＯＰラベル３が収納されるようにしても良い。
【００８８】
さらに上述の実施の形態においては、ＰＯＰラベル３は、収納された状態でカーオーディオ２と共に梱包されることにより、梱包、配送及び開梱等の作業時における破損を防止するようにした場合について述べたが、本発明はこれに限らず、店頭においてカーオーディオ２を移動させる時に一時的にＰＯＰラベル３を間隙Ｃに収納し、移動終了後に再び引き出すようにすることによって、梱包時等と同様に破損を防止することができる。
【００８９】
さらに上述の実施の形態においては、アピールポイント表示部３１にはカーオーディオ２を広告するアピールポイントＡＰが印刷されるようにした場合について述べたが、本発明はこれに限らず、アピールポイントＡＰに加えて、例えば裏面にバーコード等が印刷され、販売数管理等に使用するようにしても良い。
【００９０】
さらに上述の実施の形態においては、ＰＯＰラベル３は、アピールポイント表示部３１を操作パネル前面２２Ｂと重ならないように表示するようにした場合について述べたが、本発明はこれに限らず、重なって表示するようにしても良い。このとき、ＰＯＰラベル３は、アピールポイント表示部３１をカーオーディオ２の前面から大きく突出させることによって、操作パネル部前面２２Ｂを隠すことなく、顧客に対して斜め上からカーオーディオ２の前面を視認させることができる。
【００９１】
さらに上述の実施の形態においては、アピールポイント表示部３１にカーオーディオ２のアピールポイントＡＰが印刷されるようにした場合について述べたが、本発明はこれに限らず、取扱説明等が印刷されても良い。例えばカーオーディオ２に特有の開閉可能な操作パネルにこのＰＯＰラベル３が貼り付けられ、アピールポイント表示部３１に取扱説明等が印刷された場合、ユーザに別途添付した説明書を読ませることなく操作パネルの取扱を説明することが可能となり、ユーザの便宜を向上させることができる。
【００９２】
さらに上述の実施の形態においては、アピールポイント表示部としてのアピールポイント表示部３１と、貼付部としての貼付部３２と、変位部としての変位部３３とによってＰＯＰラベルとしてのＰＯＰラベル３を構成するようにした場合について述べたが、本発明はこれに限らず、その他種々の構成でなるアピールポイント表示部と、貼付部と、変位部とによってＰＯＰラベルを構成するようにしても良い。
【産業上の利用可能性】
【００９３】
本発明のＰＯＰラベルは、例えば家具や書籍、自動車等に使用される各種ＰＯＰラベルや、電子レンジやエアコン、各種音響機器等の電子機器に適用することができる。
【図面の簡単な説明】
【００９４】
【図１】カーオーディオの外観を示す略線図である。
【図２】ＰＯＰラベルの貼付状態を示す略線図である。
【図３】ＰＯＰラベルの形状を示す略線図である。
【図４】ＰＯＰラベルの貼付（１）の説明に供する略線図である。
【図５】ＰＯＰラベルの貼付（２）の説明に供する略線図である。
【図６】ＰＯＰラベルの収納の説明に供する略線図である。
【図７】ＰＯＰラベルの保持状態の説明に供する略線図である。
【図８】ＰＯＰラベルの表示位置への変位の説明に供する略線図である。
【図９】操作パネル部の装着の説明に供するフローチャートである。
【図１０】操作パネル部の装着状態を示す略線図である。
【図１１】カーオーディオの梱包の説明に供する略線図である。
【図１２】カーオーディオの陳列の説明に供する略線図である。
【図１３】他の実施の形態におけるＰＯＰラベルを示す略線図である。
【符号の説明】
【００９５】
２……カーオーディオ、３……ＰＯＰラベル、２１……本体部、２２……操作パネル部、３１……アピールポイント表示部、３２……貼付部、３２Ａ……両面テープ、３３……変位部、３３Ａ……山折部、３３Ｂ……谷折部。
【図１】
2007057828.tif 000003
【図２】
2007057828.tif 000004
【図３】
2007057828.tif 000005
【図４】
2007057828.tif 000006
【図５】
2007057828.tif 000007
【図６】
2007057828.tif 000008
【図７】
2007057828.tif 000009
【図８】
2007057828.tif 000010
【図９】
2007057828.tif 000011
【図１０】
2007057828.tif 000012
【図１１】
2007057828.tif 000013
【図１２】
2007057828.tif 000014
【図１３】
2007057828.tif 000015